(57)【要約】【課題】構成が容易で、外装部材が局所的に熱くなることを防止する放熱構造を有する撮像装置を提供すること。【解決手段】外部から三脚を取り付け可能な形状を有する取り付け用部材と、電気部品を実装したメイン基板と、前記取り付け用部材と前記メイン基板との間に配置される第１のスペーサーと、前記取り付け用部材と前記メイン基板とを電気的に接続する第１の固定部材と、を有する撮像装置であって、前記第１のスペーサーは、前記取り付け用部材よりも熱伝導率が低く、前記メイン基板は、前記第１の固定部材によって、前記第１のスペーサーを介して前記取り付け用部材に固定されることを特徴とする構成とした。【選択図】図３（ｄ）
2016017967.tif 000002
【特許請求の範囲】
【請求項１】
外部から三脚を取り付け可能な形状を有する取り付け用部材と、
電気部品を実装したメイン基板と、
前記取り付け用部材と前記メイン基板との間に配置される第１のスペーサーと、
前記取り付け用部材と前記メイン基板とを電気的に接続する第１の固定部材と、
を有する撮像装置であって、
前記第１のスペーサーは、前記取り付け用部材よりも熱伝導率が低く、
前記メイン基板は、前記第１の固定部材によって、前記第１のスペーサーを介して前記取り付け用部材に固定されることを特徴とする撮像装置。
【請求項２】
前記電気部品を実装した前記メイン基板において、
前記電気部品と熱接続される熱伝導部材と、
前記熱伝導部材と熱接続される放熱部材が配置され、
前記放熱部材は、前記メイン基板および前記第１のスペーサーよりも熱伝導率が高く、
前記電気部品で発生した熱を、前記熱伝導部材を介して前記放熱部材へと伝導させることを特徴とする請求項１に記載の撮像装置。
【請求項３】
前記放熱部材において、
前記放熱部材と前記取り付け用部材との間に配置される第２のスペーサーと、
前記放熱部材と前記取り付け用部材とを電気的に接続する第２の固定部材が配置され、
前記第２のスペーサーは、前記取り付け用部材よりも熱伝導率が低く、
前記放熱部材は、前記第２の固定部材によって、前記第２のスペーサーを介して前記取り付け用部材に固定されることを特徴とする請求項２に記載の撮像装置。
【請求項４】
前記第１および第２の固定部材は、前記熱伝導部材および前記放熱部材よりも熱伝導率が低いことを特徴とする請求項２又は請求項３に記載の撮像装置。
【請求項５】
前記第１および第２のスペーサーは、電池を収納可能な電池ボックスの一部から延出していることを特徴とする請求項１乃至請求項４の何れか一項に記載の撮像装置。
【発明の詳細な説明】
【技術分野】
【０００１】
本発明は、撮像装置に関するものであり、特に撮像装置の外装部材が局所的に熱くなることを防止する放熱構造に関するものである。
【背景技術】
【０００２】
近年、デジタルカメラのような撮像装置では、静止画の高画素化だけでなく、動画の高画質化も進んでいる。高画質な動画撮影を長時間に亘って続けると、撮像装置の本体内部に配設されているメイン基板に実装された電気部品／電子部品が発熱し、撮像装置の本体内部に熱が籠もることによって、動作異常等の事態が発生するおそれがある。特に、撮影時には、イメージセンサやメイン基板に実装された画像処理エンジンが熱を発生させる主な熱源となる。
【０００３】
また、撮像装置は、持ち運びの際の利便性から小型化、薄型化したものが多く好まれている。しかしながら、近年ではデジタルカメラにも多機能性が求められており、様々なデバイスが搭載されてきている。例えば、無線装置を利用した機能として、ＧＰＳモジュール、ＷｉＦｉモジュールやＮＦＣモジュールといったデバイスが挙げられる。
【０００４】
そのため、撮像装置の本体は大きくさせずに、限られた領域に撮像装置を駆動するための様々なユニットを組み込む必要があり、撮像装置の本体内部の空隙が少なくなり熱が籠もりやすくなっている。
【０００５】
従来、撮像装置の本体内部の熱に対しては、放熱板を用いて熱を本体内部に拡散させる方法や、熱容量の大きい部材、例えば三脚座などと熱源とを熱伝導的に接続し、熱源の熱をいち早く逃がす方法があった。三脚座は主にダイキャストのような熱容量の大きい部材で構成されており、また、外部部材との取り付け部のため、外の空気へ放熱することが可能なため、熱に対して効果的な部品である。
【０００６】
しかし、動画の高画質化、撮像装置の本体の小型化、薄型化により、撮像装置の本体の大きさに対して発熱量が大きくなってきている。そして、撮像装置の本体内部で効率良く熱を拡散した後に、三脚座の温度が周辺よりも極端に高くなるという現象が発生する。
【０００７】
従来、三脚座の温度上昇を軽減する構造が提案されている（特許文献１、２参照）。
【先行技術文献】
【特許文献】
【０００８】
【特許文献１】特開２０１３−１６２１９１号公報
【特許文献２】特開２０１１−１００６９号公報
【発明の概要】
【発明が解決しようとする課題】
【０００９】
しかしながら、特許文献１や特許文献２に記載された構造では、２つの熱伝導部材やカバー部材を追加しなければならず、コストアップになってしまう。また、撮像装置の構成が複雑になるため、撮像装置の本体が大型化してしまう。
【００１０】
そこで、本発明の目的は、構成が容易で、外装部材が局所的に熱くなることを防止する放熱構造を有する撮像装置を提供することを目的とする。
【課題を解決するための手段】
【００１１】
上記目的を達成するために、本発明は、外部から三脚を取り付け可能な形状を有する取り付け用部材と、電気部品を実装したメイン基板と、前記取り付け用部材と前記メイン基板との間に配置される第１のスペーサーと、前記取り付け用部材と前記メイン基板とを電気的に接続する第１の固定部材と、を有する撮像装置であって、前記第１のスペーサーは、前記取り付け用部材よりも熱伝導率が低く、前記メイン基板は、前記第１の固定部材によって、前記第１のスペーサーを介して前記取り付け用部材に固定されることを特徴とする。
【発明の効果】
【００１２】
本発明によれば、構成が容易で、外装部材が局所的に熱くなることを防止する放熱構造を有する撮像装置を提供することができる。
【図面の簡単な説明】
【００１３】
【図１（ａ）】本発明の実施形態に係るデジタルカメラの正面斜視図である。
【図１（ｂ）】本発明の実施形態に係るデジタルカメラの背面斜視図である。
【図２（ａ）】図１のデジタルカメラを分解した正面斜視図である。
【図２（ｂ）】図１のデジタルカメラを分解した背面斜視図である。
【図３（ａ）】図１のデジタルカメラの要部分解斜視図である。
【図３（ｂ）】図１のデジタルカメラの要部背面図である。
【図３（ｃ）】図１のデジタルカメラの要部背面図である。
【図３（ｄ）】図１のデジタルカメラの要部分解斜視図である。
【発明を実施するための形態】
【００１４】
以下、本発明の実施形態について、添付図面を参照して詳細に説明する。本実施形態では、撮像装置として、所謂、デジタルカメラを取り上げるが、本発明はこれに限定されるものではなく、撮像装置全般に適用することができる。
【００１５】
図１（ａ）は、本発明の実施形態に係るデジタルカメラの正面斜視図であり、図１（ｂ）は図１（ａ）に示すデジタルカメラの背面斜視図である。
【００１６】
図１（ａ）に示すように、本実施形態のデジタルカメラは、カメラ本体１の正面側に、ズーム式のレンズ鏡筒２が設けられている。カメラ本体の上面部には、ポップアップ式のストロボ３、電源ボタン４、モードダイヤル５、露出補正ダイヤル６、およびレリーズボタン７が設けられている。レリーズボタン７の周囲には、ズームレバー８が設けられている。また、カメラ本体１を正面から見て右側の側面には、ストロボ３をポップアップさせるためのポップアップレバー９が設けられている。
【００１７】
カメラ本体１の背面側には、図１（ｂ）に示すように、液晶等の表示装置１０、および操作ボタン群１１が設けられている。表示装置１０はカメラ本体１を背面から見て上辺を軸に、１８０度回動可能に設けられている。
【００１８】
また、カメラ本体１を背面から見て右側の側面には、ワンタッチでスマートフォン等の携帯端末にアクセスすることが可能なアクセスボタン１２が設けられている。さらに、アクセスボタン１２の上部には、不図示の外部出力ケーブル用のコネクタを覆うコネクタ蓋１３が開閉可能に設けられている。
【００１９】
図２（ａ）は図１（ａ）に示すデジタルカメラの分解斜視図、図２（ｂ）は図２（ａ）を背面から見た分解斜視図である。
【００２０】
図２（ａ）および図２（ｂ）に示すように、カメラ本体１の内部には、カメラ本体１を正面側から見てレンズ鏡筒１０１の左側に、不図示の電池を挿入するための電池ボックス１０２が設けられている。レンズ鏡筒１０１の背面には、撮像基板１０３に実装された不図示の撮像素子が配置され、撮像基板１０３はメイン基板１０４に電気的に接続されている。レンズ鏡筒１０１と電池ボックス１０２との間には、三脚座やストラップ等の取り付け用部材１０５が配置されている。また、電池ボックス１０２の背面側には、メイン基板１０４がビス等により固定されている。メイン基板１０４に接続された不図示のバッテリ端子と電池とを電気的に接続することでカメラ本体１の電源が供給される。なお、取り付け用部材１０５とメイン基板１０４の接続については、後に詳細に説明する。
【００２１】
レンズ鏡筒１０１の右側には、ストロボユニット１０６が配置され、メインコン１０７とストロボ基板１０８が不図示のリード線によって半田付けされ、電気的に接続されている。また、ストロボユニット１０６はポップアップ式であり、ポップアップレバー１０９を操作すると、不図示の発光部がポップアップする。発光部は不図示のフレキシブルプリント基板によってストロボ基板１０８に接続されている。
【００２２】
レンズ鏡筒１０１の上方には、電源ボタン、モードダイヤル、露出補正ダイヤル、およびレリーズボタンが設けられたトップユニット１１０が配置されている。また、レンズ鏡筒１０１の下方には、カメラ本体の底面の一部を構成するボトムカバー１１１が配置されている。さらに、レンズ鏡筒１０１の前方には、カメラ本体の前面を覆うフロントカバー１１２が配置されている。
【００２３】
レンズ鏡筒１０１の背面側には、メイン基板１０４からの熱を放熱するための放熱板金１１３が配置され、さらに放熱板金１１３の背面には、カメラ本体の背面を覆うようにメインシャーシ１１４が配置されている。レンズ鏡筒１０１、電池ボックス１０２、メイン基板１０４、ストロボユニット１０６はビス等によりメインシャーシ１１４に固定されている。
【００２４】
また、ストロボユニット１０６の右側には、不図示のＷｉＦｉユニットが配置されている。ＷｉＦｉユニットとストロボユニット１０６は、中継フレキシブルプリント配線基板１１５によってメイン基板１０４と電気的に接続されている。また、中継フレキシブルプリント配線基板１１５は放熱板金１１３とメインシャーシ１１４の間に挟まれて配置されている。
【００２５】
メインシャーシ１１４の背面には、背面操作ユニット１１６が配置され、メインシャーシ１１４にビス等により固定されている。さらに、メインシャーシ１１４および背面操作ユニット１１６の背面にはリアカバー１１７が配置され、リアカバー１１７の背面には表示装置１１８が配置されている。表示装置１１８は液晶フレキシブルプリント配線基板１１９によってメイン基板１０４に電気的に接続されている。液晶フレキシブルプリント配線基板１１９は外観から見えなくするためのフレキカバー１２０によって覆われている。
【００２６】
図３（ａ）は、図２（ｂ）に示すデジタルカメラの内、取り付け用部材１０５とメイン基板１０４および放熱板金１１３の接続の構成を表す分解斜視図である。図３（ｂ）は、図１（ｂ）に示すデジタルカメラから、放熱板金１１３より後方に配置された部材を取り外した状態を表す背面図であり、図３（ｃ）は、図３（ｂ）に示すデジタルカメラからさらに放熱板金１１３を取り外した状態を表す背面図である。図３（ｄ）は、図３（ａ）の内、本実施形態におけるメイン基板と取り付け用部材との接続の構成を表す要部斜視図である。
【００２７】
メイン基板１０４に実装された画像処理エンジン１２１の上には、熱伝導部材１２２が配置されており、さらにその上に放熱板金１１３が配置されている。熱伝導部材１２２が配置されることで、画像処理エンジン１２１からの発熱を放熱板金１１３へ伝えることができる。カメラ本体を背面から見て右側にメイン基板１０４が配置されているため、放熱用の部材を配置しない場合、カメラ本体の中でも右側に熱が籠もってしまう。そのため、放熱板金１１３はカメラ本体を背面から見て画像処理エンジン１２１の位置から左側に伸びており、画像処理エンジン１２１から発生した熱をカメラ本体の左側へ伝えている。また、放熱板金１１３は熱を別の箇所へ伝えるだけでなく、放熱板金１１３自体に蓄熱させる効果も持っている。
【００２８】
第１の固定部材１２３は、第１のメイン基板の孔部１２４および第１の電池ボックスの孔部１２５を通り、第１の取り付け用部材の孔部１２６に固定されている。メイン基板１０４は不図示のグランド配線が開口されており、メイン基板１０４のグランドと第１の固定部材１２３が面で接触しているため電気的に接続されている。また、第１の固定部材１２３と第１の取り付け用部材の孔部１２６はビス等の締結により電気的に接続されている。しかし、メイン基板１０４と取り付け用部材１０５は直接接続されていない。これにより、メイン基板１０４上に配置された画像処理エンジン１２１から発生した熱を取り付け用部材１０５へ伝えにくくしている。
【００２９】
ここで、第１の電池ボックスの孔部１２５は、メイン基板１０４と取り付け用部材１０５とを直接接続させないようにするための第１のスペーサー１２７に配置されている。第１のスペーサー１２７は、メイン基板１０４および取り付け用部材１０５よりも熱伝導率が低い。また、第１のスペーサー１２７は電池ボックス１０２の一部から延出して形成されているため、新たに部品を追加することなく、メイン基板１０４から取り付け用部材１０５への伝熱を抑制することができる。さらに、第１のスペーサー１２７はメイン基板１０４と取り付け用部材１０５との間に配置されるため、構成が複雑になることなく、カメラ本体の大型化を防ぎつつ、外装部材である取り付け用部材１０５が局所的に熱くなることを防ぐことができる。なお、第１のスペーサー１２７としては、メイン基板１０４と取り付け用部材１０５の間に配置されていればよく、ワッシャーのような円筒形状の別部材を挟み込むことでも同様の効果が得られる。
【００３０】
第２の固定部材１２８は、第１の放熱板金の孔部１２９および第２の電池ボックスの孔部１３０を通り、第２の取り付け用部材の孔部１３１に固定されている。放熱板金１１３と第２の固定部材１２８が面で接触しているため電気的に接続されている。また、第２の固定部材１２８と第２の取り付け用部材の孔部１３１はビス等の締結により電気的に接続されている。しかし、放熱板金１１３と取り付け用部材１０５は直接接続されていない。これにより、メイン基板１０４上に配置された画像処理エンジン１２１から発生した熱を放熱板金１１３へ伝えつつ、取り付け用部材１０５へは伝えにくくしている。
【００３１】
ここで、第２の電池ボックスの孔部１３０は、放熱板金１１３と取り付け用部材１０５とを直接接続させないようにするための第２のスペーサー１３２に配置されている。第２のスペーサー１３２は、放熱板金１１３および取り付け用部材１０５よりも熱伝導率が低い。また、第２のスペーサー１３２は電池ボックス１０２の一部から延出して形成されているため、新たに部品を追加することなく、放熱板金１１３から取り付け用部材１０５への伝熱を抑制することができる。さらに、第２のスペーサー１３２は放熱板金１１３と取り付け用部材１０５との間に配置されるため、構成が複雑になることなく、カメラ本体の大型化を防ぎつつ、外装部材である取り付け用部材１０５が局所的に熱くなることを防ぐことができる。なお、第２のスペーサー１３２としては、放熱板金１１３と取り付け用部材１０５の間に配置されていればよく、ワッシャーのような円筒形状の別部材を挟み込むことでも同様の効果が得られる。
【００３２】
第３の固定部材１３３は、第１のメインシャーシの孔部１３４、第１の放熱板金の孔部１３５および第２のメイン基板の孔部１３６を通り、第３の電池ボックスの孔部１３７に固定されている。ここで、メイン基板１０４は不図示のグランド配線が開口されており、メイン基板１０４のグランド配線と放熱板金１１３、および放熱板金１１３とメインシャーシ１０４が面で接触しているためそれぞれ電気的に接続されている。さらに、第３の固定部材１３３によってメイン基板１０４のグランド配線と放熱板金１１３およびメインシャーシ１１４が押しつけられるよう固定されているので、電気的な接続がより強固になっている。また、メイン基板１０４のグランド配線は熱源である画像処理エンジン１２１と接続されており、画像処理エンジン１２１からの発熱を、メイン基板１０４のグランド配線を経由して放熱板金１１３へ伝熱させている。なお、放熱板金１１３の熱伝導率はメインシャーシ１１４の熱伝導率よりも高い。
【００３３】
第４の固定部材１３８は、放熱板金１１３には固定されておらず、第２のメインシャーシの孔部１３９を通り、第３の取り付け用部材の孔部１４０に固定されている。これにより、取り付け用部材１０５をメインシャーシに固定することができる。
【００３４】
本実施例においては、メイン基板１０４と取り付け用部材１０５との間に第１のスペーサー１２７部材となる第１の電池ボックスの孔部１２５が配置されている。これにより、メイン基板１０４からの熱を取り付け用部材１０５に直接伝えるような構成にはなっておらず、また、メイン基板１０４からの熱を放熱板金１１３に逃がす構成となっている。一方、放熱板金１１３から取り付け用部材１０５へ熱を伝えにくくするために、放熱板金１１３と取り付け用部材１０５の間に第２のスペーサー１３２部材となる第２の電池ボックスの孔部１３０が配置されている。これにより、メイン基板上１０４に配置された画像処理エンジン１２１から発生した熱を放熱板金１１３に効果的に伝えることができると共に、外装部材である取り付け用部材１０５が局所的に熱くなることを防ぐことができる。
【００３５】
以上、本発明の好ましい実施形態について説明したが、本発明はこれらの実施形態に限定されず、その要旨の範囲内で種々の変形および変更が可能である。
【符号の説明】
【００３６】
１０２  電池ボックス、１０４  メイン基板、１０５  取り付け用部材、
１１３  放熱板金、１２１  画像処理エンジン、１２２  熱伝導部材、
１２３  第１の固定部材、１２４  第１のメイン基板の孔部、
１２５  第１の電池ボックスの孔部、１２６  第１の取り付け用部材の孔部、
１２７  第１のスペーサー、１２８  第２の固定部材、１２９  第１の放熱板金の孔部、
１３０  第２の電池ボックスの孔部、１３１  第２の取り付け用部材の孔部、
１３２  第２のスペーサー、１３３  第３の固定部材、
１３４  第１のメインシャーシの孔部、１３５  第２の放熱板金の孔部、
１３６  第２のメイン基板の孔部、１３７  第３の電池ボックスの孔部、
１３８  第４の固定部材、１３９  第２のメインシャーシの孔部、
１４０  第３の取り付け用部材の孔部
【図１（ａ）】
2016017967.tif 000003
【図１（ｂ）】
2016017967.tif 000004
【図２（ａ）】
2016017967.tif 000005
【図２（ｂ）】
2016017967.tif 000006
【図３（ａ）】
2016017967.tif 000007
【図３（ｂ）】
2016017967.tif 000008
【図３（ｃ）】
2016017967.tif 000009
【図３（ｄ）】
2016017967.tif 000010